(57)【特許請求の範囲】
【請求項１】
背凭れと座面とを備え、利用者の座位時に左右後腸骨棘部および上部仙骨部を押し付けるための単層または複数層からなる弾性部材を前記背凭れが有し、
前記背凭れにおいて前記弾性部材の下方に単層または複数層からなる少なくとも一つの他の弾性部材が前記座面に向かう方向に並べられて設けられ、前記弾性部材および少なくとも一つの前記他の弾性部材は下方にゆくほど弾性率が小さく、前記弾性部材および少なくとも一つの前記他の弾性部材が有する各背凭れ面を含む少なくとも一つの平面は前記座面の上面に対して略１００度の角度をなすことを特徴とする椅子。
【請求項２】
前記弾性部材は、左右後腸骨棘部および上部仙骨部に加えて第５腰椎部から第２腰椎部までの腰椎部を押し付けるための弾性部材であることを特徴とする請求項１に記載の椅子。
【請求項３】
前記少なくとも一つの他の弾性部材は、一つまたは三つ以上であることを特徴とする請求項１または請求項２に記載の椅子。
【請求項４】
前記背凭れの高さを利用者の座位時の第２腰椎部までとしていることを特徴とする請求項１〜請求項３のいずれかに記載の椅子。
【請求項５】
前記弾性部材の上方に、利用者の座位時に肩甲骨部の後方移動を制限する制限部を備えることを特徴とする請求項１〜請求項４のいずれかに記載の椅子。
【請求項６】
前記座面は利用者を支持する座面部を有し、前記座面部が後方から視認できるよう前記弾性部材の下方に隙間が設けられていることを特徴とする請求項１〜請求項５のいずれかに記載の椅子。
【発明の詳細な説明】
【技術分野】
【０００１】
本発明は、椅子および椅子装着具に関する。
【背景技術】
【０００２】
高齢化社会の到来により、高齢者および介護者の生活の質を向上させることが重要となってきており、高齢者の摂食という観点からの生活の質の向上が一つの重要な課題となってきている。体幹機能、嚥下機能、呼吸機能、免疫機能等の低下或いは低下傾向にある高齢者の摂食、食事介護の基本は「無駄な体力を使うことなく円滑な嚥下が実現され誤嚥させる事なく一回の食事で如何に円滑且つ短時間で必要なカロリー、栄養素の十分な摂取を図るか」ということである。そこで、従来、高齢者施設用と称する食事用椅子が登場している。
【先行技術文献】
【非特許文献】
【０００３】
【非特許文献１】向井美恵著「老年者の摂食・嚥下機能障害とリハビリテーション．歯界展望」、91(2) 、1998年、ｐ.309-318
【非特許文献２】才籐栄一著「老年者の摂食・嚥下障害の評価法と訓練の実際．歯界展望」、91(3)、1998年、ｐ.649-656
【発明の概要】
【発明が解決しようとする課題】
【０００４】
しかし、上記従来の食事用椅子は、座面、背凭れの汚れに対する対応や肘掛の形状、位置等の配慮による立ち座りの際の安定感を強調するのみであり、摂食時の疲労軽減、円滑な嚥下の実現、誤嚥を可能な限り回避するという高齢者のための摂食専用椅子としての本来の目的と機能が欠落していた。
【０００５】
そこで、本発明は、摂食用の椅子としての本来の機能を有した椅子を提供することを目的とする。
【課題を解決するための手段】
【０００６】
上記目的を達成するために本発明に係る椅子は、背凭れと座面とを備え、利用者の座位時に左右後腸骨棘部および上部仙骨部を押し付けるための単層または複数層からなる弾性部材を前記背凭れが有し、
前記背凭れにおいて前記弾性部材の下方に単層または複数層からなる少なくとも一つの他の弾性部材が前記座面に向かう方向に並べられて設けられ、前記弾性部材および少なくとも一つの前記他の弾性部材は下方にゆくほど弾性率が小さく、前記弾性部材および少なくとも一つの前記他の弾性部材が有する各背凭れ面を含む少なくとも一つの平面は前記座面の上面に対して略１００度の角度をなすよう構成した。
【０００７】
このような構成によれば、摂食用の椅子として、利用者は座位時に左右後腸骨棘部および上部仙骨部を弾性部材に押し付けることで、効率の高い体幹の前方移動を行うことができ、摂食時の肉体的疲労が軽減され摂食のし易さが向上する。さらに、体幹の自然な彎曲を伴う前傾姿勢を安定して維持することができ、円滑な嚥下を実現できる。また、この姿勢の安定維持により、誤嚥を引き起こし易い頸部伸展位姿勢を防止し、誤嚥を可能な限り回避できる。
【０００８】
また、上記構成において、前記弾性部材は、左右後腸骨棘部および上部仙骨部に加えて第５腰椎部から第２腰椎部までの腰椎部を押し付けるための弾性部材であるようにしてもよい。
【０００９】
このような構成によれば、利用者は座位時に左右後腸骨棘部、上部仙骨部および第５腰椎部から第２腰椎部までの腰椎部を弾性部材に押し付けることで、効率の高い体幹の前方移動を行うことができ、摂食時の肉体的疲労が軽減され摂食のし易さが向上する。
【００１０】
また、上記いずれかの構成において、前記少なくとも一つの他の弾性部材は、一つまたは三つ以上であるようにしてもよい。
【００１１】
また、上記いずれかの構成において、前記背凭れの高さを利用者の座位時の第２腰椎部までとしているようにしてもよい。
【００１２】
このような構成によれば、利用者が第７乃至第１０胸椎あたりで体幹をサポートしようとすることがなくなり、非効率的な体幹移動を防ぐことができる。また、摂食時に繰り返される上肢の運動を妨げることもない。
【００１３】
また、上記いずれかの構成において、前記弾性部材の上方に、利用者の座位時に肩甲骨部の後方移動を制限する制限部を備えるようにしてもよい。
【００１４】
このような構成によれば、利用者の体幹の後方移動を制限し、誤嚥を引き起こし易い頸部伸展位姿勢を確実に防止できる。
【００１５】
また、上記いずれかの構成において、前記座面は利用者を支持する座面部を有し、前記座面部が後方から視認できるよう前記弾性部材の下方に隙間が設けられているようにしてもよい。
【００１６】
このような構成によれば、汚れ易い座面部の清掃がし易くなる。
【発明の効果】
【００１７】
本発明に係る椅子によれば、摂食用の椅子としての本来の機能を有した椅子とすることができる。
【図面の簡単な説明】
【００１８】
【図１】摂食時における高齢者の体幹移動の際の軸点、基点となる箇所を示す図である。
【図２】円滑な嚥下を実現し誤嚥を可能な限り回避し得る摂食時姿勢を示す図である。
【図３】誤嚥を可能な限り回避するための限界姿勢を示す図である。
【図４】本発明に係る椅子の全体斜視図である。
【図５】（ａ）本発明に係る椅子の背凭れ構成の第１変形例、（ｂ）本発明に係る椅子の背凭れ構成の第２変形例を示す図である。
【図６】本発明に係る椅子の背凭れ構成の第３変形例を示す図である。
【図７】（ａ）肘掛を加えた本発明に係る椅子の変形例を用いた実施例、（ｂ）本発明に係る椅子にテーブルを加えた実施例を示す図である。
【図８】誤嚥を引き起こし易い要食事介護高齢者のための誤嚥回避を目的とした頸部伸展位姿勢を防止するクッション部を加えた本発明に係る椅子の変形例を示す図である。
【図９】（ａ）本発明に係る椅子装着具の側面図、（ｂ）本発明に係る椅子装着具を椅子に装着した状態を示す図である。
【図１０】（ａ）本発明の別実施形態に係る椅子装着具の側面図、（ｂ）本発明の別実施形態に係る椅子装着具を椅子に装着した状態を示す図である。
【発明を実施するための形態】
【００１９】
本発明を完成させるにあたり、発明者は、摂食時における高齢者にとって座り易い姿勢についての精査、高齢者の嚥下し易い姿勢についての精査、摂食中の高齢者の姿勢変化経緯についての精査、そして高齢者の誤嚥を可能な限り回避する姿勢についての精査を行った。
【００２０】
上記精査の結果、円滑な摂食においては、高齢者は図１の坐骨部ａを軸として図１の左右後腸骨棘部ｂ、上部仙骨部ｃおよび第５腰椎部ｄから第２腰椎部ｇまでの腰椎部を背凭れに押し付けることで円滑に体幹を前方に移動させているという知見が得られた。また、体幹の前方移動の際、脊柱をサポートする力の弱い人ほど上の部位である第２腰椎部を他の部位より強く背凭れに押し付け、脊柱をサポートする力の強い人ほど下の部位である左右後腸骨棘部および上部仙骨部を他の部位より強く背凭れに押し付ける傾向があった。これにより、円滑な摂食の基本となる効率的な体幹移動を実現させるための座面および背凭れの構成が求められる。
【００２１】
また、上記精査の結果、摂食時において摂食し易く、円滑な嚥下の出来る高齢者特有の座位姿勢は、背凭れに深く腰掛け、腰椎１００度（骨盤のアップライト）の状態で両足底がしっかり床に接し、股関節部、膝関節部、足関節部がほぼ９０度に近い座位姿勢であり、その際、体幹は上部腰椎部を彎曲起始部とした頭蓋の重さに逆らわない自然な前傾姿勢を形成し、頭頸部は(頸部屈曲姿勢ではなく)体幹の前傾に伴った自然な前傾姿勢を形成していた（図２を参照）。これにより、円滑な嚥下を実現するこのような自然な彎曲を伴う前傾姿勢を安定して維持するための背凭れの構成が求められる。
【００２２】
また、上記精査の結果、図３に示した真横を向いた座位姿勢での坐骨ｉより垂直に引いた直線上に後頭骨後端部ｊがある姿勢が誤嚥を可能な限り回避するための限界姿勢であり、この限界より後頭骨後端部が前方に位置すると誤嚥は限りなく回避され、反対にこの限界より後頭骨後端部が後方に位置すると容易に頸部伸展位を生ずることとなり誤嚥を引き起こし易いという知見が得られた。これにより、（不顕性誤嚥を含む）誤嚥を可能な限り回避するために上記自然な彎曲を伴う前傾姿勢（図２）を摂食中および摂食後暫らくの間、安定して維持することができる背凭れの構成が求められる。
【００２３】
また、上記精査の結果、高い背凭れでの高齢者の摂食の場合、第７乃至第１０胸椎あたりで体幹をサポートしようとする傾向が強く、この姿勢での摂食時の体幹の前後移動は腹筋に極めて大きな負荷を掛け、第７乃至第１０胸椎を背凭れに押し付ける事で体幹を前方に移動させるか或いは最初に第３腰椎部辺りが背凭れに押し当てられるまで体幹を丸め、最終的に第３腰椎部辺りを背凭れに押し付けることで体幹を前方移動するという極めて非効率な体幹移動をとっていた。この精査結果から、高齢者による摂食時の体幹移動の高い効率性のための適切な背凭れ高さを設定することが求められる。
【００２４】
以上のような精査結果に基づき、発明者は以下で説明する本発明に係る椅子を完成させた。図４に、本発明に係る椅子の全体斜視図を示す。
【００２５】
図４に示すように、本発明に係る椅子１００は、フレーム１と、座面部支持部２と、第１座面部３と、第２座面部４と、第３座面部５と、第１背凭れ部６と、第２背凭れ部７と、第３背凭れ部８と、背凭れ部支持部９とを備えている。
【００２６】
フレーム１は木製であり、四つの脚フレーム部１ａと、それらの上方に設けられる座面フレーム部１ｂと、さらにその上方に設けられる背凭れフレーム部１ｃとからなる。
【００２７】
本発明に係る椅子１００に備えられる座面Ａは、座面フレーム部１ｂと、座面部支持部２と、第１座面部３と、第２座面部４と、第３座面部５とを有する。ベニヤ板である座面部支持部２は両面テープにより座面フレーム部１ｂに接着される。また、第１座面部３と、第２座面部４と、第３座面部５とはそれぞれ両面テープにより座面部支持部２に接着される。
【００２８】
第１座面部３は、利用者の座位時での大腿部を支持し、下層部３ａ、中層部３ｂ、上層部３ｃの３層構造となっている。下層部３ａは発泡倍率１５倍の発泡ポリエチレン（以下、発泡ポリエチレン１５倍）から構成され、中層部３ｂは発泡倍率３０倍の発泡ポリエチレン（以下、発泡ポリエチレン３０倍）から構成され、上層部３ｃは軟質ウレタンフォームから構成され、各層は互いに両面テープにより接着される。
【００２９】
第２座面部４は、利用者の座位時での坐骨部を支持し、下層部４ａ、中層部４ｂ、上層部４ｃの３層構造となっている。下層部４ａは発泡ポリエチレン３０倍から構成され、中層部４ｂは発泡ポリエチレン３０倍から構成され、上層部４ｃは軟質ウレタンフォームから構成され、各層は互いに両面テープにより接着される。
【００３０】
第３座面部５は、利用者の座位時での臀部を支持し、下層部５ａ、中層部５ｂ、上層部５ｃの３層構造となっている。下層部５ａは発泡ポリエチレン１５倍から構成され、中層部５ｂは発泡ポリエチレン３０倍から構成され、上層部５ｃは軟質ウレタンフォームから構成され、各層は互いに両面テープにより接着される。
【００３１】
第１座面部３、第２座面部４、第３座面部５を上記のような構成にしたことにより、第２座面部４の反発力を第１座面部３および第３座面部５の反発力よりも小さくしている。これにより、利用者の座位時に坐骨部が沈み込み、第２座面部４の保持力が第１座面部３および第３座面部５の保持力よりも大きくなり（ここで保持力とは、利用者の前後方向のずれを抑えるための座面部が利用者に与える力である）、摂食時における体幹の前後移動の際の軸となっている坐骨部がずれ難くなり、摂食時の効率的な体幹移動が可能となる。
【００３２】
また、坐骨部を支持する第２座面部４を上記のような構成にしたことにより、坐骨部周りの沈み込む範囲を最小限とし、沈み込みの深さも適正とし、体幹の前後移動の効率性を高めている。また、第１座面部３、第２座面部４、第３座面部５を上記のような構成にしたことにより、それぞれの反発力のバランスを適正にし、坐骨部に隣接する臀部、下部大腿部の座位時の違和感を解消した。
【００３３】
また、第１座面部３、第２座面部４、第３座面部５を３層構造とすることにより、それぞれ反発力の微調整が可能となり、適正な反発力のバランスを得ることができる。なお、３層構造に限らず、２層以上の複数層であれば同様の効果が得られ、複数層構造とすることが望ましいが、単層でもよい。
【００３４】
なお、第１座面部３、第２座面部４、第３座面部５を覆うような汚れ防止のためのカバーを設けるようにしてもよい。
【００３５】
また、本発明に係る椅子１００に備えられる背凭れＢは、背凭れフレーム部１ｃと、背凭れ部支持部９と、第１背凭れ部６と、第２背凭れ部７と、第３背凭れ部８とを有する。
【００３６】
ベニヤ板である背凭れ部支持部９は両面テープにより背凭れフレーム部１ｃに接着される。そして、第１背凭れ部６（弾性部材）の下方に第２背凭れ部７（他の弾性部材）、第３背凭れ部８（他の弾性部材）がこの順序で座面Ａに向かう方向に並べられて配置され、各背凭れ部はそれぞれ両面テープにより背凭れ部支持部９に接着される。また、第１背凭れ部６、第２背凭れ部７および第３背凭れ部８の各背凭れ面は一つの平面上にあり、この平面は座面Ａの上面に対して略１００度の角度をなす。ここで、略１００度とは、９７度〜１０５度であることを示す。発明者の精査によると、上記角度が９７度〜１０５度である場合、誤嚥の防止効果が著しく向上することが分かった。
【００３７】
第１背凭れ部６は、利用者の座位時に左右後腸骨棘部、上部仙骨部および第５腰椎部から第２腰椎部までの腰椎部（図１）を押し付け可能となっており、下層部６ａ、中層部６ｂ、上層部６ｃの３層構造となっている。下層部６ａは発泡ポリエチレン１５倍から構成され、中層部６ｂは発泡ポリエチレン３０倍から構成され、上層部６ｃは発泡ポリエチレン１５倍から構成され、各層は互いに両面テープにより接着される。
【００３８】
第２背凭れ部７は、下層部７ａ、中層部７ｂ、上層部７ｃの３層構造となっている。下層部７ａは発泡ポリエチレン１５倍から構成され、中層部７ｂは発泡ポリエチレン３０倍から構成され、上層部７ｃは発泡ポリエチレン３０倍から構成され、各層は互いに両面テープにより接着される。
【００３９】
第３背凭れ部８は、下層部８ａ、中層部８ｂ、上層部８ｃの３層構造となっている。下層部８ａは発泡ポリエチレン３０倍から構成され、中層部８ｂは発泡ポリエチレン３０倍から構成され、上層部８ｃは発泡ポリエチレン３０倍から構成され、各層は互いに両面テープにより接着される。
【００４０】
第１背凭れ部６、第２背凭れ部７、第３背凭れ部８を上記のような構成にしたことにより、第２背凭れ部７の弾性率は第１背凭れ部６の弾性率より小さく、第３背凭れ部８の弾性率は第２背凭れ部７の弾性率より小さくなっている。ここで、弾性率とは、背凭れ前面側から部材に掛ける圧力と、その圧力を掛けた場合の部材の変形量との比を示す。そして、利用者は座位時に左右後腸骨棘部、上部仙骨部および第５腰椎部から第２腰椎部までの腰椎部を最も高い弾性率を有する第１背凭れ部６に押し付けることで、極めて効率の高い体幹の前方移動を行うことができる。
【００４１】
また、各背凭れ部の背凭れ面が一つの平面上にありこの平面が座面Ａの上面に対して略１００度の角度をなし、上記のように各背凭れ部の弾性率が下方ほど小さくなっているので、体幹の自然な彎曲を伴う前傾姿勢（図２）を安定して維持することができ、円滑な嚥下を実現できる。また、この姿勢の安定維持により、胃の圧迫を防ぎ呼吸や咳を阻害せず、誤嚥の際にもしっかり咳嗽できる。また、この姿勢の安定維持により、頸部伸展位姿勢を防止し、誤嚥を可能な限り回避できる。
【００４２】
また、背凭れＢの高さ（図４のＨ）は利用者の座位時での第２腰椎部までとしており、これにより第７乃至第１０胸椎あたりで体幹をサポートしようとすることがなくなり、非効率的な体幹移動を防ぐことができる。また、摂食時に繰り返される上肢の運動を妨げることもない。
【００４３】
また、第３背凭れ部８の下端から座面Ａの表面までにかけて隙間が形成されており、第３座面部５が後方より視認され、これにより汚れ易い第３座面部５の清掃がし易くなる。
【００４４】
また、第１背凭れ部６、第２背凭れ部７、第３背凭れ部８を３層構造とすることにより、それぞれ弾性率の微調整が可能となり、適正な弾性率のバランスを得ることができる。なお、３層構造に限らず、２層以上の複数層であれば同様の効果が得られ、複数層構造とすることが望ましいが、単層でもよい。
【００４５】
また、第１背凭れ部６、第２背凭れ部７、第３背凭れ部８については図５のように構成してもよい（図５は、背凭れを前面側から見た状態を示す）。図５（ａ）では、背凭れフレーム部１ｃに対して額縁状の外枠９０を取り付け、この外枠９０に対して第１メッシュ部材６０（弾性部材）、第２メッシュ部材７０（他の弾性部材）、第３メッシュ部材８０（他の弾性部材）を張り付けている。外枠９０は例えば、ＡＢＳ樹脂から構成される。また、第１メッシュ部材６０、第２メッシュ部材７０、第３メッシュ部材８０は、例えばポリエステル樹脂からなる糸材をメッシュ状に構成したものである。そして、第１メッシュ部材６０、第２メッシュ部材７０、第３メッシュ部材８０の順に弾性率が小さくなるよう構成され、糸材の太さを変えたり、メッシュ部材が張られる張力の大きさを変えることにより各メッシュ部材の弾性率を異ならせることができる。また、第１メッシュ部材６０、第２メッシュ部材７０および第３メッシュ部材８０の各背凭れ面は一つの平面上にあり、この平面は座面Ａの上面に対して略１００度の角度をなす。なお、図５（ｂ）のように、背凭れフレーム部１ｃに対して第１メッシュ部材６０、第２メッシュ部材７０、第３メッシュ部材８０を張り付けるようにしてもよい。
【００４６】
また、図６のように、面積の異なる第１メッシュ部材１１０、第２メッシュ部材１２０、第３メッシュ部材１３０を用意し、背凭れフレーム部１ｃに第１メッシュ部材１１０を張り付け、その上に上端を合わせるように第２メッシュ部材１２０を張り付け、さらにその上に上端を合わせるように第３メッシュ部材１３０を張り付けてもよい。これにより、上方から順に、３層からなる背凭れ部Ｃ（弾性部材）、２層からなる背凭れ部Ｄ（他の弾性部材）、１層からなる背凭れ部Ｅ（他の弾性部材）が形成され、弾性率は背凭れ部Ｃ、背凭れ部Ｄ、背凭れ部Ｅの順に小さくなる。また、背凭れ部Ｃ、背凭れ部Ｄ、背凭れ部Ｅの各背凭れ面を含む３つの各平面は、座面Ａの上面に対して略１００度の角度をなす。
【００４７】
また、第１背凭れ部６、第２背凭れ部７、第３背凭れ部８を１つのカバーに入れて構成してもよい。
【００４８】
このように本発明に係る椅子１００によれば、摂食時の効率の高い体幹移動により肉体的疲労を軽減し、また、円滑な嚥下を実現し、誤嚥を可能な限り防止でき、短時間で必要なカロリー、栄養素を摂取するという高齢者の摂食の基本的な目的を達成できる。また、誤嚥の回避により、誤嚥性肺炎発症の予防に大きく貢献すると共に食事介護者の精神的、肉体的ストレスの解消につながる。
【００４９】
図７（ａ）は本発明に係る椅子１００においてフレーム１の幅を広くして左右に肘掛を設けた場合の実施例を示し、図７（ｂ）は本発明に係る椅子１００にテーブルを加えた実施例を示す。着座者の座部水平状態且つ上半身前方傾斜姿勢が安定維持されており、また着座者の両足底は完全に接床し、前方傾斜に伴い着座者の肘部より上肢先端部は図に示したように自然に肘掛またはテーブルに接していることにより座位姿勢は更に安定を得ている。この肘掛が設けられた椅子および椅子とテーブルでつくられる姿勢は、胃の圧迫を防ぎ呼吸や咳を阻害せず、誤嚥の際にしっかり咳嗽できる座位姿勢である。
【００５０】
また、図８のように、本発明に係る椅子１００において背凭れフレーム部１ｃをさらに上方に延長してもよい。この延長された背凭れフレーム部は、背凭れの高さＨまでは背凭れフレーム部１ｃと同一の形状であり、背凭れの高さＨを越える位置では利用者の体から離れる方向に斜め上方に延長される形状となるよう形成される。即ち、背凭れフレーム部は側面視で略「く」の字状に形成される。そして、背凭れの高さＨを越える位置での背凭れフレーム部の表面には、別の背凭れ部支持部（不図示）を介して、別の弾性部材（不図示）が設けられる。また、この弾性部材の上方において背凭れフレーム部の表面に、利用者の座位時に肩甲骨部を押し当て可能なクッション部１０（制限部）が設けられる。クッション部１０は、エアクッションやスポンジをカバーで覆ったもの等で構成すればよい。誤嚥を頻繁に引き起こし易い要食事介護高齢者が利用者である場合に、このようなクッション部１０により肩甲骨部の後方移動を制限し、体幹の後方移動を制限し、誤嚥を引き起こし易い頸部伸展位姿勢を確実に防止できる。
【００５１】
なお、本発明に係る椅子１００では第１背凭れ部６（弾性部材）の下方に二つの背凭れ部７、８（他の弾性部材）が設けられるが、一つだけの背凭れ部（他の弾性部材）が設けられてもよいし、三つ以上の背凭れ部（他の弾性部材）が設けられてもよい。
【００５２】
また、本発明に係る椅子１００において第１背凭れ部６を第５腰椎部から第２腰椎部までの腰椎部は除き左右後腸骨棘部および上部仙骨部を押し付け可能な大きさに変更し、第２背凭れ部７および第３背凭れ部８を取り除いたような構成としてもよい。利用者が若年者であれば体幹の前方移動の際に左右後腸骨棘部および上部仙骨部さえ背凭れ部に押し付けることができれば効率的な体幹移動が可能であるので、このような構成の椅子であれば若年者の摂食時の効率的な体幹移動が可能となり、また摂食用に限らず工場ラインでの作業用椅子として導入すれば、若年者である作業者の作業時に効率的な体幹移動が可能となり、肉体的疲労が軽減され作業効率を向上できる。
【００５３】
次に、本発明に係る椅子装着具に関して以下説明する。
【００５４】
図９（ａ）に、本発明に係る椅子装着具２００の側面図を示す。本発明に係る椅子装着具２００は、本体部１１と、押圧部１２と、軸１３と、クッション部１４（制限部）とを備える。本体部１１は、コ字状部１１ａと、クッション部支持部１１ｂと、軸支持部１１ｃとからなり、樹脂や金属等の一体成型品である。コ字状部１１ａは板状部材を側面視コ字状に折り曲げたような形状であり、コ字状部１１ａが有する対向する前面片１１ｄと後面片１１ｅのうち前面片１１ｄは後面片１１ｅよりも長めに延在している。後面片１１ｅの左右端部に軸支持部１１ｃが形成される。また、押圧部１２は、板状部材を山形に折り曲げたような形状の本体部１２ａと、本体部１２ａの左右両端部に形成された軸受部１２ｂとからなる。そして、軸支持部１１ｃの穴部および軸受部１２ｂの穴部を軸１３が貫通し、軸１３は軸支持部１１ｃに固定され、押圧部１２が回動自在に支持される。また、軸１３は不図示の巻きばねも貫通し、この巻きばねが押圧部１２を前面片１１ｄに近づける回転方向（紙面時計回り）に付勢している。また、クッション部支持部１１ｂは前面片１１ｄ上部に延在する板状部であり、クッション部１４を支持する。クッション部１４は例えばスポンジをカバーで覆ったものである。
【００５５】
図９（ｂ）は、上記構成の本発明に係る椅子装着具２００を椅子に装着した状態を示す。本発明に係る椅子装着具２００を椅子に装着する際は、まず押圧部１２に外力を加えて押圧部１２を巻きばねによる付勢に反して前面片１１ｄから離れるように回動させ、利用者が凭れる背凭れの面に前面片１１ｄが当接するよう背凭れをコ字状部１１ａで挟むようにし、押圧部１２に加えていた外力を除くと押圧部１２が巻きばねによる付勢により背凭れを押圧し、本発明に係る椅子装着具２００が椅子に固定される。この状態で利用者の座位時に肩甲骨部がクッション部１４に押し付け可能となっている。このような本発明に係る椅子装着具２００により、利用者の肩甲骨部の後方移動が制限され、円滑な嚥下を実現しまた誤嚥を可能な限り回避させ得る体幹の自然な彎曲を伴う前傾姿勢を安定して維持できる。また、本発明に係る椅子装着具２００は上記のようにクリップ式の装着機構を有するので、装着が容易となる。
【００５６】
図１０（ａ）に、本発明の別の実施形態に係る椅子装着具２００’の側面図を示す。本発明に係る椅子装着具２００’は、本体部１５と、表面にねじが形成された棒状部材である締付けねじ部１６と、押圧部１７と、把持部１８と、クッション部１９（制限部）とを備える。本体部１５は、コ字状部１５ａと、クッション部支持部１５ｂとからなり、樹脂や金属等の一体成型品である。コ字状部１５ａは板状部材を側面視コ字状に折り曲げたような形状であり、コ字状部１５ａが有する対向する前面片１５ｃと後面片１５ｄのうち前面片１５ｃは後面片１５ｄよりも長めに延在している。後面片１５ｄにはねじ穴１５ｅが形成され、締付けねじ部１６がねじ穴１５ｅを螺通している。締付けねじ部１６の一端に押圧部１７が設けられ、他端付近に把持部１８が設けられる。また、クッション部支持部１５ｂは前面片１５ｃ上部に延在する板状部であり、クッション部１９を支持する。クッション部１９は例えばスポンジをカバーで覆ったものである。
【００５７】
図１０（ｂ）は、上記構成の本発明に係る椅子装着具２００’を椅子に装着した状態を示す。本発明に係る椅子装着具２００’を椅子に装着する際は、利用者が凭れる背凭れの面に前面片１５ｃを当接させ、把持部１８を把持して締付けねじ部１６を回転させ締付けねじ部１６と共に押圧部１７を背凭れに近づけ、締付けねじ部１６を締め付けることにより押圧部１７を背凭れに押圧させ、本発明に係る椅子装着具２００’が椅子に固定される。この状態で利用者の座位時に肩甲骨部がクッション部１９に押し付け可能となっている。このような本発明に係る椅子装着具２００’により、利用者の肩甲骨部の後方移動が制限され、円滑な嚥下を実現しまた誤嚥を可能な限り回避させ得る体幹の自然な彎曲を伴う前傾姿勢を安定して維持できる。また、本発明に係る椅子装着具２００’は上記のようにねじ式の装着機構を有するので、様々な厚みの背凭れを有する椅子に装着可能となる。
【産業上の利用可能性】
【００５８】
本発明に係る椅子および椅子装着具は、医療機関、高齢者収容施設、要介護者収容施設をはじめ一般の家庭、飲食物提供施設、交通機関等に高齢者の摂食用に設置することで、高齢者および介護者双方の生活の質の向上につながる。また、本発明に係る椅子には、高齢者の摂食用に限らず、工場ラインにおける若年者の作業用に設置することで作業効率を高めるといった利用方法もある。本発明に係る椅子および椅子装着具には、その他様々な利用方法が想定される。
【符号の説明】
【００５９】
ａ 左右坐骨部
ｂ 左右後腸骨棘部
ｃ 上部仙骨部
ｄ 第５腰椎部
ｅ 第４腰椎部
ｆ 第３腰椎部
ｇ 第２腰椎部
ｈ 体幹部
ｉ 坐骨部
ｊ 後頭骨後端部
Ａ 座面
Ｂ 背凭れ
Ｈ 背凭れの高さ
１ フレーム
１ａ 脚フレーム部
１ｂ 座面フレーム部
１ｃ 背凭れフレーム部
２ 座面部支持部
３ 第１座面部
４ 第２座面部
５ 第３座面部
６ 第１背凭れ部
７ 第２背凭れ部
８ 第３背凭れ部
９ 背凭れ部支持部
１０ クッション部
１１ 本体部
１２ 押圧部
１３ 軸
１４ クッション部
１５ 本体部
１６ 締付けねじ部
１７ 押圧部
１８ 把持部
１９ クッション部
６０ 第１メッシュ部材
７０ 第２メッシュ部材
８０ 第３メッシュ部材
９０ 外枠
１１０ 第１メッシュ部材
１２０ 第２メッシュ部材
１３０ 第３メッシュ部材
Ｃ、Ｄ、Ｅ 背凭れ部
【図１】
0004979042.tif 000002
【図２】
0004979042.tif 000003
【図３】
0004979042.tif 000004
【図４】
0004979042.tif 000005
【図５】
0004979042.tif 000006
【図６】
0004979042.tif 000007
【図７】
0004979042.tif 000008
【図８】
0004979042.tif 000009
【図９】
0004979042.tif 000010
【図１０】
0004979042.tif 000011